(57)【要約】      （修正有）【課題】  サーバラックのような複数の情報取扱システムにわたる情報取扱システムの消費電力を、最大総消費電力の範囲内に情報取扱システムの動作を制限するように管理する。【解決手段】  必要に応じて、１つ以上の情報取扱システムを電力減少モードで選択的に動作させ、または１つ以上の情報取扱システムの動作を不許可とすることによって、最大値を下回るレベルを維持するように消費電力は制限される。各情報取扱システムに関係する管理制御装置が、消費電力の監視および消費電力減少モードの設定を管理する。【選択図】      図２
2006195986.tif 000002
【特許請求の範囲】
【請求項１】
複数の情報取扱システムにわたって消費電力を管理するシステムにおいて、
各情報取扱システムに関係するローカル管理制御装置と、
各ローカル管理制御装置とインターフェイスされた共通管理制御装置とを具備し、
各ローカル管理制御装置は、その関係する情報取扱システムに対する消費電力情報を有し、その関係する情報取扱システムにおいて、１つ以上のスロットル調整された消費電力モードを選択的に実現させるように動作可能であり、
共通管理制御装置は、使用可能な電力リソースの電力リソーステーブルおよび各ローカル管理制御装置から提供される消費電力情報の消費電力テーブルとを有し、１つ以上の情報取扱システムの動作を選択的に制限して、使用可能な電力リソース範囲内に複数の情報取扱システムの消費電力を維持するように動作可能であるシステム。
【請求項２】
共通管理制御装置とインターフェイスされ、共通管理制御装置を設定して、選択された情報取扱システムの動作を制限するように動作可能である電力管理コンソールをさらに具備する請求項１記載のシステム。
【請求項３】
共通管理制御装置は、１つ以上の情報取扱システムにおいてスロットル調整された消費電力モードを選択的に実現させることによって、１つ以上の情報取扱システムの動作を選択的に制限する請求項１記載のシステム。
【請求項４】
スロットル調整された消費電力モードは、１つ以上の処理構成部品の消費電力を減少させるクロック信号の操作を含む請求項３記載のシステム。
【請求項５】
処理構成部品は、情報取扱システムのＣＰＵを含む請求項４記載のシステム。
【請求項６】
処理構成部品は、情報取扱システムのランダムアクセスメモリを含む請求項４記載のシステム。
【請求項７】
スロットル調整された消費電力モードは、消費電力を減少させるＣＰＵ電圧の操作を含む請求項３記載のシステム。
【請求項８】
電力リソーステーブルは時間ベースの電力制約を有し、電力管理制御装置が、１つ以上の情報取扱システムにおいて時間ベースの選択的な制限を行って、時間ベースの電力制約を満たすようにさらに動作可能である請求項３記載のシステム。
【請求項９】
ローカル管理制御装置の消費電力情報は、ローカル管理制御装置に関係する少なくとも１つの情報取扱システムの消費電力のアクティブ監視から得られる情報を含む請求項１記載のシステム。
【請求項１０】
複数の情報取扱システムの消費電力を管理する方法において、
複数の情報取扱システムに関係する最大総電力を規定し、
複数の情報取扱システムによって使用される総電力を監視し、
情報取扱システム要求が最大総電力を超えることを決定し、
１つ以上の情報取扱システムの動作を制限して、情報取扱システムによって使用される総電力を最大総電力より少なくなるように維持することを含む方法。
【請求項１１】
情報取扱システム要求は、情報取扱システムの１つによる電源投入要求を含み、動作制限が、情報取扱システムの電源投入の許可を拒否することをさらに含む請求項１０記載の方法。
【請求項１２】
情報取扱システム要求は、情報取扱システムの１つによる電源投入要求を含み、動作制限が、消費電力減少モードにおいて情報取扱システムの電源投入を許可することをさらに含む請求項１０記載の方法。
【請求項１３】
消費電力減少モードにおける情報取扱システムの電源投入の許可は、減速されたクロック速度で情報取扱システムの１つ以上のＣＰＵを動作させる、情報取扱システムの電源投入の許可をさらに含む請求項１２記載の方法。
【請求項１４】
消費電力減少モードにおける情報取扱システムの電源投入の許可は、減速されたクロック速度で情報取扱システムのメモリを動作させる、情報取扱システムの電源投入の許可をさらに含む請求項１２記載の方法。
【請求項１５】
消費電力減少モードにおける情報取扱システムの電源投入の許可は、情報取扱システムの１つ以上のＣＰＵに対する減少された動作電圧での、情報取扱システムの電源投入の許可をさらに含む請求項１２記載の方法。
【請求項１６】
消費電力減少モードにおける情報取扱システムの電源投入の許可は、情報取扱システムの減速されたハードディスクドライブの動作速度での、情報取扱システムの電源投入の許可をさらに含む請求項１２記載の方法。
【請求項１７】
情報を処理するように動作可能である処理構成部品と、
処理構成部品とインターフェイスされた電力管理制御装置とを具備し、
処理構成部品の少なくともいくつかは、消費電力減少モードを有し、
電力管理制御装置は、情報取扱システムと複数の他の情報取扱システムとによる使用に対する最大総電力を有し、処理構成部品のスタートアップに関係する消費電力に他の情報取扱システムの消費電力を加えたものが、最大総電力を超える場合、処理構成部品の動作を制限するように動作可能である情報取扱システム。
【請求項１８】
電力管理制御装置は、処理構成部品のスタートアップを禁止することによって、処理構成部品の動作を制限する請求項１７記載の情報取扱システム。
【請求項１９】
電力管理制御装置は、最大総電力を超えることを防ぐ消費電力減少モードにおいて、１つ以上の処理構成部品をスタートアップさせることによって、処理構成部品の動作を制限する請求項１８記載の情報取扱システム。
【請求項２０】
処理構成部品はＣＰＵを含み、消費電力減少モードは減速されたクロック速度を含む請求項１９記載の情報取扱システム。
【発明の詳細な説明】
【発明の分野】
【０００１】
本発明は、一般的に情報取扱システムの電力管理の分野に関し、さらに詳細に述べると、複数の情報取扱システムの電力管理をするシステムおよび方法に関する。
【関連技術の説明】
【０００２】
情報の価値および使用が増加し続けているので、個人および企業は、情報を処理し、記憶するためのさらなる方法を求めている。ユーザが使用可能な１つのオプションは情報取扱システムである。情報取扱システムは、一般的に、仕事用、個人用もしくは他の目的用の情報もしくはデータを処理し、編集し、記憶し、および／または通信し、それによりユーザが情報の価値を利用することを可能にする。技術および情報取扱のニーズおよび要求は、異なるユーザまたはアプリケーション間で変わるので、どのような情報を扱うか、いかに情報を扱うか、どの程度の情報を処理し、記憶し、通信するか、および、いかに迅速に効率よく情報を処理し、記憶し、通信するかに関しても変わる。情報取扱システムのバリエーションは、情報取扱システムを一般的なものとすることができ、あるいは、金融取引処理、航空座席予約、企業データ記憶、またはグローバル通信のような特定のユーザまたは特定使用のために構成することができる。さらに情報取扱システムは、さまざまなハードウェアおよびソフトウェアの構成部品を含んでいてもよく、このハードウェアおよびソフトウェアの構成部品は、情報を処理し、記憶し、通信するように構成され、１つ以上のコンピュータシステム、データ記憶システム、およびネットワーク化システムを含んでいてもよい。
【０００３】
情報取扱システムは、性能能力において、過去数年にわたってかなり向上し、遠くない将来にわたっても向上し続けそうである。例えば、さらに高い密度でハイレベルの性能をパックした処理構成部品のデザインは、技術の進歩によって処理速度を増している。この向上した性能にともなって生じた1つの問題は、情報取扱システムが、より多くの電力を消費して、より多くの過剰な熱を発生させる傾向があることである。データセンター中のように、多数の情報取扱システムが動作する場合、処理構成部品による電力使用の増加がもたらす累積した影響は、かなりなものになることがある。情報取扱システムそのものによる電力の消費のほかに、全体的な電力使用は環境的要因によってさらに増大することがある。環境的な要因は、例えば、冷却に関係して消費電力が増大したり、周期的な電力供給の変動により、情報取扱システムの電力の使用可能性が減少したりすることである。複数の情報取扱システムを運転するデータセンターまたは他の機関は、情報取扱システムによる使用のために安定した電力供給を維持しようとして、多量のリソースを費やすことが多い。
【０００４】
情報技術専門家が直面する１つの問題は、情報取扱システムを追加または置換した時に、消費電力が変化する場合、複数の情報取扱システムに対して確実に適切な電力供給をすることである。電源からの変動か、または冷却リソースのような他のリソースによる使用可能な電力の使用における変動によるものであろうと、使用可能な電力が変動する場合、この作業はさらに複雑になる。情報取扱システムは電力を管理するさまざまな方法を含むことが多いが、一般的には、電力管理は、内部バッテリー電力で動作させる間に、バッテリーが急速に放電しすぎないように、消費電力を減少させることに関する。例えば、プロセッサ、ハードディスクドライブ、ディスプレイおよび冷却ファンは、消費電力減少モードを含んでいることが多く、消費電力減少モードは消費電力を減少させるために準最適性能を犠牲にする。このような電力管理システムは、一般的に、内部電源での単一情報取扱システムの動作と関係し、その情報取扱システムが外部電源で動作するとき、ディセーブルされる。
【発明の概要】
【０００５】
したがって、複数の情報取扱システムの電力管理を行うシステムおよび方法の必要性が生じている。
【０００６】
本発明にしたがって、情報取扱システムによる消費電力を管理する従来の方法およびシステムに関係した不都合および問題を実質的に減少させる、システムおよび方法が提供される。複数の情報取扱システム全体にわたる消費電力は使用可能な電力リソースと比較されて、１つ以上のシステムの制限されない動作、または１つ以上のシステムの制限された動作が選択され、これは、使用可能な電力リソースの制約範囲内に複数の情報取扱システムの消費電力を維持する。
【０００７】
さらに詳細に述べると、ローカル管理制御装置は、サーバラックの各情報取扱システムサーバに関係し、１つのローカル管理制御装置は共通管理制御装置として指定される。共通管理制御装置は、使用可能な電力リソースをリストアップする電力リソーステーブルと、情報取扱システムシステムサーバによる消費電力をリストアップする消費電力テーブルとを維持する。共通管理制御装置は、情報取扱システムサーバによる消費電力を監視し、消費電力が使用可能な電力リソースを超えた場合、１つ以上の情報取扱システムサーバの制限された動作を強制する。例えば、情報取扱システムサーバに関係するローカル管理制御装置が電源投入を要求する場合、動作中サーバの現在の総ラック電力に、開始しようとするサーバの最大設定電力を加えたものが、すべてのシステムの使用のために送られる最大総ラック電力を超えると、共通管理制御装置はスタートアップに対する許可を拒否する。ローカル管理制御装置が、最大許容電力より少ない最大設定電力を有する消費電力減少モードを設定することができる場合、共通管理制御装置は、新規なシステムがローカル管理制御装置に対して消費してもよい最大許容電力を提供し、新規なシステムのスタートアップ許可をする。
【０００８】
本発明は、多くの重要な技術の利点を提供する。重要な技術の利点の一例は、複数の情報取扱システムによる消費電力が自動的に監視され、過剰な消費を防ぐことである。標準モノシリックサーバの情報取扱システムの１つ以上のラックにわたる消費電力は、１つ以上のシステムにおける消費電力のスロットル調整によってバランスが保たれる。消費電力の１組の制約が与えられると、情報技術専門家は、複数の情報取扱システムの１つ以上のラックの動作を設定し、それらの制約を自動的に維持することができる。
【０００９】
本発明は添付図面を参照することによって、よりよく理解され、多くの目的、特徴および利点は、当業者に明らかになるだろう。いくつかの図の全体を通しての同一参照番号の使用は、同様または類似した構成要素を示している。
【発明の詳細】
【００１０】
電力の制約が、情報取扱システムを動作するために使用可能な電力リソースを制限する場合、複数の情報取扱システム全体にわたる電力管理は、複数の情報取扱システムの動作を助ける。この開示のために、情報取扱システムは、仕事、科学、制御、または他の目的のための、何らかの形態の情報、知能またはデータを計算し、分類し、処理し、送信し、受信し、検索し、発生させ、スイッチし、記憶し、表示し、明示し、検出し、記録し、再生し、取扱い、または使用するように動作可能な何らかの手段または手段の集合体を含んでいてもよい。例えば、情報取扱システムは、パーソナルコンピュータ、ネットワーク記憶デバイス、または他の何らかの適切なデバイスであってもよく、サイズ、形状、性能、機能性および価格が変化してもよい。情報取扱システムは、ランダムアクセスメモリ（ＲＡＭ）、中央処理装置（ＣＰＵ）またはハードウェアもしくはソフトウェア制御ロジックのような１つ以上の処理リソース、ＲＯＭ、および／または他のタイプの不揮発性メモリを含むことができる。情報取扱システムのさらなる構成部品は、１つ以上のディスクドライブ、外部のデバイスと通信する１つ以上のネットワークポートとともに、キーボード、マウス、およびビデオディスプレイのようなさまざまな入出力（Ｉ／Ｏ）デバイスを含んでいてもよい。情報取扱システムはまた、さまざまなハードウェア構成部品間で通信を送信するように動作可能な１つ以上のバスも含んでいてもよい。
【００１１】
図１を参照すると、ブロック図は、複数の情報取扱サーバ１２に対して電力管理をする情報取扱システムサーバラック１０を図示する。情報取扱システム１２は、情報を処理するための処理構成部品を含む。処理構成部品とは、ＣＰＵ１４、ＲＡＭ１６、ハードディスクドライブ１８、およびＮＩＣ２０のようなものである。ＮＩＣ２０は、１つ以上のネットワーク２２、または他の情報取扱システム１２とインターフェイスする。処理構成部品は、さまざまな消費電力減少モードを有する。さまざまな消費電力減少モードは、一般的により低い性能レベルにおいて、より低い電力での情報取扱システムの動作を可能にする。例えば、ＣＰＵ１４は、ＣＰＵによる消費電力を減少させるために、情報を処理する速度を犠牲にする減速されたクロック周波数または減少電圧で選択的に動作する。ＲＡＭ１６は、ＲＡＭによる消費電力を減少させるために、情報を記憶または検索する速度を犠牲にする減速されたクロック速度で選択的に動作する。ハードディスクドライブ１８は、ハードディスクドライブによる消費電力を減少させるために、情報を記憶または検索する速度を犠牲にする減速されたクロック速度で選択的に動作する。同様に、処理速度が減速され、または電圧が減少されることにより、冷却要求が減ったときのように、消費電力減少モードの動作がシステムの完全性に影響しない場合には、冷却ファン２４のような情報取扱システム１２の他の構成部品も、消費電力減少モードで動作することができる。
【００１２】
サーバラック１０全体にわたる情報取扱システム１２の動作の調整は、各情報取扱システム１２に関係するローカル管理制御装置２６を通じて管理される。ローカル管理制御装置２６の１つは、共通管理制御装置２８として指定される。共通管理制御装置２８は、ラック１０全体にわたって各ローカル管理制御装置２６を管理する。ローカル管理制御装置２６は、情報取扱システム１２間のネットワーク２２を通して、または「入−出」デイジーチェーンで構成されたダイレクトケーブルを通して、共通管理制御装置２８とインターフェイスする。各ローカル管理制御装置２６は、その関係する情報取扱システム１２に対する消費電力情報を有する。消費電力情報とは、最大消費電力、関係する情報取扱システム１２の電力を消費する構成部品のリスト、または関係する情報取扱システム１２で消費される電力のアクティブ監視結果のようなものである。各ローカル管理制御装置２６は、情報取扱システム１２の各ブート時などに、消費電力情報を共通管理制御装置２８に提供する。共通管理制御装置２８は、消費電力テーブル３０中で、情報取扱システム１２による消費電力情報を追跡し、消費電力を電力リソーステーブル３２でリストアップされる使用可能な電力とを比較し、１つ以上の情報取扱システム１２の動作に消費電力の制限を強制するか否かを決定する。
【００１３】
共通管理制御装置２８は、さまざまな消費電力の制約にしたがって、消費電力の制限を選択的に強制する。例えば、共通管理制御装置２８は、最初の電源投入時または電力リセット時に情報取扱システム１２を監視し、情報取扱システムの動作を維持するには使用可能な電力リソースが不足する場合は、ローカル管理制御装置２６が、その関係するシステムを電源投入させるのを禁止する。代わりに、消費電力減少モードでその関係する情報取扱システムの動作を維持するのに十分な電力がある場合、共通管理制御装置２８は、減速されたプロセッサ速度またはメモリ速度のような消費電力減少モードで、ローカル管理制御装置２６がスタートアップすることを可能にする。電力管理コンソール３４は、共通管理制御装置２８を通じて、情報取扱システムのユーザが消費電力モードを選択的に設定することを可能にする。例えば、ユーザは、共通管理制御装置２８が優先順位の低いシステムの消費電力を減少させて優先順位の高いシステムを動作させるように、他のものに対して１つの情報取扱システム１２を優先させてもよい。あるいは、ユーザは、特定のＣＰＵのような選択された情報取扱システムの特定の構成部品を優先させ、電力リソースの制約を考慮して減速されたクロック速度で動作させてもよい。他の例として、ユーザは、動作時間に基づいて変化する電力リソースを有するように電力リソーステーブル３２を設定してもよい。それにより、共通管理制御装置２８は、時間とともに消費電力を選択的に減少させて、所望の制約の範囲内に全体の消費電力を維持してもよい。さらに他の例として、消費電力の制約および使用可能性を調整するために電力管理コンソール３４が、複数のサーバラック１０全体にわたって消費電力のバランスをとってもよい。
【００１４】
図２を参照すると、フロー図は、複数の情報取扱システムの消費電力管理のプロセスを図示する。ステップ３６で、サーバラック上に配置された情報取扱システムに電力を適用して、プロセスは開始する。ステップ３８で、情報取扱システムのローカル管理制御装置が補助電力レールを初期化し、ステップ４０で、その最大設定電力を情報取扱システムサーバラックの共通管理制御装置に通知する。最大設定電力は、システムの現在の物理的な状態に基づいて、システムが消費を予測する電力の最大量であり、情報取扱システム上に記憶されてもよく、実際の電力使用から導出されてもよく、または情報取扱システム上の構成部品のリストから共通管理制御装置によって導出されてもよい。ステップ４２で、共通管理制御装置は、通知された値を、ラック上で動作中のすべてのシステムに対する最大設定電力値の総計を意味するラック電力の現在の総計値に加え、その総計値を、すべての情報取扱システムによる使用のためにラックに送られる最大電力量を意味する最大総ラック電力と比較する。ステップ４４で、現在のラック電力と通知された電力との総計値が最大総ラック電力を超えない場合、ステップ４６にプロセスは続き、ステップ４６で、共通管理制御装置が、制限されない動作に対する電源投入の許可をローカル管理制御装置に送信する。
【００１５】
ステップ４４で、現在のラック消費電力と通知された電力との総計値が最大総ラック電力を超える場合、プロセスは続いて、情報取扱システムの制限された動作を許可すべきか否かを決定する。ステップ４８で、共通管理制御装置は、電源投入の拒否をローカル管理制御装置に送信し、ステップ５０ではまた、最大許容電力を送信する。この最大許容電力は、既にラック上のシステムに割り当てられている電力量に基づいて情報取扱システムに送ることできる、割り当てられていない電力の最大量を意味している。すなわち、最大総ラック電力マイナス現在の総ラック電力を意味している。ステップ５２で、ＣＰＵまたはメモリ動作をスロットル調整することによるように、共通管理制御装置からメッセージ送信された最大許容電力の範囲内で、その関係するシステムがスロットル調整状態で動作できるか否かをローカル制御装置は決定する。ステップ５４で、スロットル調整状態が、最大許容電力の範囲内で維持できない場合、ステップ５６にプロセスは続く。ステップ５６で、ローカル管理制御装置は、電力の制約の範囲内で動作できないことを共通管理制御装置に通信し、ステップ５８で、システムのスタートアップをディセーブルする。ステップ５４で、最大許容電力の範囲内の動作を維持するスロットル調整状態が存在する場合、ローカル管理制御装置がスロットル調整状態を設定するステップ６０、およびローカル管理制御装置がそのスロットル調整された電力値を共通管理制御装置に通知するステップ６２にプロセスは続く。ステップ６２からステップ４０にプロセスは続き、スロットル調整状態で情報取扱システムを動作させるのに十分な電力が確実に使用可能になる。
【００１６】
図３を参照すると、フロー図は、複数の情報取扱システムの１つにおける消費電力の管理のプロセスを図示する。ステップ６４で、システムに電力を適用して、プロセスは開始し、補助電力でローカル管理制御装置を初期化するステップ６６に続き、ステップ６８および７０での初期化ボタンの選択が続く。ステップ７２で、ローカル管理制御装置は、その関係する情報取扱システムの最大設定電力を共通管理制御装置に通知し、ステップ７４で、共通管理制御装置からの情報取扱システムを電源投入するための許可を待つ。ステップ７６で、許可が受信された場合、ローカル管理制御装置は、制限されていない消費電力モードでシステムの電源投入を開始する。ステップ７６で、拒否が受信された場合、ステップ８０および８２にプロセスは進む。ステップ８０および８２で、ローカル管理制御装置は、共通管理制御装置からの最大許容電力を待つ。一旦、最大許容電力が受信されると、ステップ８４で、スロットル調整状態に入ることによって、情報取扱システムが最大許容電力の範囲内で動作できるか否かをローカル管理制御装置は決定する。ステップ８６で、ローカル管理制御装置が、スロットル調整状態が存在しないことを決定した場合、ローカル制御装置がスタートアップできないことを共通管理制御装置に通知するステップ８８、および、関係する情報取扱システムのスタートアップをディセーブルするステップ９０に続く。ステップ８６で、スロットル調整状態が存在する場合、スロットル調整状態で動作するようにシステムを設定するステップ９２、ローカル管理制御装置がスロットル調整された電力を通知するステップ９４、および、共通管理制御装置からスロットル調整された電力でのスタートアップを許可するステップ９６にプロセスは続く。ステップ９８で、スタートアップの許可が受信された場合、プロセスはステップ７８に戻り、スタートアップする。ステップ９８で、スタートアップ許可が拒否された場合、プロセスはステップ９０に戻り、スタートアップをディセーブルする。
【００１７】
本発明を詳細に説明したが、添付された特許請求の範囲により規定される本発明の精神および範囲を逸脱することなく、本発明に対して、さまざまな変更、置換および修正をなし得ることを理解すべきである。
【図面の簡単な説明】
【００１８】
【図１】図１は、複数の情報取扱システムサーバに対して電力管理をする情報取扱システムサーバラックのブロック図を図示する。
【図２】図２は、複数の情報取扱システムの消費電力を管理するプロセスのフロー図を図示する。
【図３】図３は、複数の情報取扱システムの１つにおける消費電力を管理するプロセスのフロー図を図示する。
【図１】
2006195986.tif 000003
【図２】
2006195986.tif 000004
【図３】
2006195986.tif 000005
【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
複数の情報取扱システムにわたって消費電力を管理するシステムにおいて、
各情報取扱システムに関係するローカル管理制御装置と、
各ローカル管理制御装置とインターフェイスされた共通管理制御装置とを具備し、
各ローカル管理制御装置は、その関係する情報取扱システムに対する消費電力情報を有し、その関係する情報取扱システムにおいて、１つ以上のスロットル調整された消費電力モードを選択的に実現させるように動作可能であり、
共通管理制御装置は、使用可能な電力リソースの電力リソーステーブルおよび各ローカル管理制御装置から提供される消費電力情報の消費電力テーブルとを有し、１つ以上の情報取扱システムの動作を選択的に制限して、使用可能な電力リソース範囲内に複数の情報取扱システムの消費電力を維持するように動作可能であるシステム。
【請求項２】
共通管理制御装置とインターフェイスされ、共通管理制御装置を設定して、選択された情報取扱システムの動作を制限するように動作可能である電力管理コンソールをさらに具備する請求項１記載のシステム。
【請求項３】
共通管理制御装置は、１つ以上の情報取扱システムにおいてスロットル調整された消費電力モードを選択的に実現させることによって、１つ以上の情報取扱システムの動作を選択的に制限する請求項１記載のシステム。
【請求項４】
スロットル調整された消費電力モードは、１つ以上の処理構成部品の消費電力を減少させるクロック信号の操作を含む請求項３記載のシステム。
【請求項５】
処理構成部品は、情報取扱システムのＣＰＵを含む請求項４記載のシステム。
【請求項６】
処理構成部品は、情報取扱システムのランダムアクセスメモリを含む請求項４記載のシステム。
【請求項７】
スロットル調整された消費電力モードは、消費電力を減少させるＣＰＵ電圧の操作を含む請求項３記載のシステム。
【請求項８】
電力リソーステーブルは時間ベースの電力制約を有し、共通管理制御装置が、１つ以上の情報取扱システムにおいて時間ベースの選択的な制限を行って、時間ベースの電力制約を満たすようにさらに動作可能である請求項３記載のシステム。
【請求項９】
ローカル管理制御装置の消費電力情報は、ローカル管理制御装置に関係する少なくとも１つの情報取扱システムの消費電力のアクティブ監視から得られる情報を含む請求項１記載のシステム。
【請求項１０】
複数の情報取扱システムの消費電力を管理する方法において、
複数の情報取扱システムに関係する最大総電力を規定し、
複数の情報取扱システムによって使用される総電力を監視し、
情報取扱システム要求が最大総電力を超えることを決定し、
１つ以上の情報取扱システムの動作を制限して、情報取扱システムによって使用される総電力を最大総電力より少なくなるように維持することを含む方法。
【請求項１１】
情報取扱システム要求は、情報取扱システムの１つによる電源投入要求を含み、動作制限が、情報取扱システムの電源投入の許可を拒否することをさらに含む請求項１０記載の方法。
【請求項１２】
情報取扱システム要求は、情報取扱システムの１つによる電源投入要求を含み、動作制限が、消費電力減少モードにおいて情報取扱システムの電源投入を許可することをさらに含む請求項１０記載の方法。
【請求項１３】
消費電力減少モードにおける情報取扱システムの電源投入の許可は、減速されたクロック速度で情報取扱システムの１つ以上のＣＰＵを動作させる、情報取扱システムの電源投入の許可をさらに含む請求項１２記載の方法。
【請求項１４】
消費電力減少モードにおける情報取扱システムの電源投入の許可は、減速されたクロック速度で情報取扱システムのメモリを動作させる、情報取扱システムの電源投入の許可をさらに含む請求項１２記載の方法。
【請求項１５】
消費電力減少モードにおける情報取扱システムの電源投入の許可は、情報取扱システムの１つ以上のＣＰＵに対する減少された動作電圧での、情報取扱システムの電源投入の許可をさらに含む請求項１２記載の方法。
【請求項１６】
消費電力減少モードにおける情報取扱システムの電源投入の許可は、情報取扱システムの減速されたハードディスクドライブの動作速度での、情報取扱システムの電源投入の許可をさらに含む請求項１２記載の方法。
【請求項１７】
情報を処理するように動作可能である処理構成部品と、
処理構成部品とインターフェイスされた電力管理制御装置とを具備し、
処理構成部品の少なくともいくつかは、消費電力減少モードを有し、
電力管理制御装置は、情報取扱システムと複数の他の情報取扱システムとによる使用に対する最大総電力を有し、処理構成部品のスタートアップに関係する消費電力に他の情報取扱システムの消費電力を加えたものが、最大総電力を超える場合、処理構成部品の動作を制限するように動作可能である情報取扱システム。
【請求項１８】
電力管理制御装置は、処理構成部品のスタートアップを禁止することによって、処理構成部品の動作を制限する請求項１７記載の情報取扱システム。
【請求項１９】
電力管理制御装置は、最大総電力を超えることを防ぐ消費電力減少モードにおいて、１つ以上の処理構成部品をスタートアップさせることによって、処理構成部品の動作を制限する請求項１８記載の情報取扱システム。
【請求項２０】
処理構成部品はＣＰＵを含み、消費電力減少モードは減速されたクロック速度を含む請求項１９記載の情報取扱システム。
【手続補正２】
【補正対象書類名】図面
【補正対象項目名】図３
【補正方法】変更
【補正の内容】
【図３】
2006195986.tif 000006
【外国語明細書】
2006195986000001.pdf